(57)【特許請求の範囲】
【請求項１】
表示画面を有する上ケースと、操作部を有する下ケースと、夫々の該ケースと連結する連結部とを備えた携帯端末であって、
該上ケースは、該表示画面の上方の片側に片寄って配置された第１のスピーカと、該表示画面の下方の片側に片寄って配置された第２のスピーカと、該第２のスピーカの側方に形成された空間とを内部に備えて、該第１のスピーカと該第２のスピーカとは、該表示画面を挟んで対角の位置関係で配置されており、
該下ケースに対して該上ケースが縦方向となる第１の使用状態と、該下ケースに対して該上ケースが左側となる第２の使用状態と、該下ケースに対して該上ケースが右側となる第３の使用状態とを設定可能とし、該第１，第２，第３の使用状態のいずれにおいても、該表示画面で縦方向を上下方向とする画像を表示させる手段を備え、
該第１のスピーカと該第２のスピーカとは、ステレオ再生用のスピーカであって、該第１〜第３の使用状態のいずれにおいても、該第１のスピーカと該第２のスピーカのうちの、右側に配置されるスピーカを該ステレオ再生の右チャンネル用のスピーカとし、左側に配置されるスピーカを該ステレオ再生の左チャンネル用のスピーカとする手段を備え、
該連結部は、該上ケースと該下ケースとを連結するヒンジ部を備え、
該ヒンジ部は、該上ケースと該下ケースを折り畳み可能に接続するヒンジ部材を備え、
該第２のスピーカは、該ヒンジ部側に片寄って配置され、
該空間に表示画面と前記操作部とを接続する配線が配置されている
ことを特徹とする携帯端末。
【請求項２】
請求項１において、
前記第１のスピーカと前記第２のスピーカとのいずれか一方を通話用のスピーカに兼用したことを特徴とする携帯端末。
【請求項３】
請求項１または２において、
前記上ケースは、前記第１のスピーカの側方に配置された着信音出力用スピーカを備え、
該着信音出力用スピーカは、前記上ケースの背面側から着信音を出力する
ことを特徴とする携帯端末。
【発明の詳細な説明】
【０００１】
【発明の属する技術分野】
本発明は、映像や音声などのコンテンツの配信を受けることができるようにした携帯電話機やＰＤＡ(Personal Digital Assistant：携帯情報端末）などの携帯端末に関する。
【０００２】
【従来の技術】
近年、携帯電話機などの携帯端末では、センタからの映像や音楽などの音声といったコンテンツの配信を受けることができるようになってきており、通話ばかりでなく、プレーヤとしての機能も備えたものが知られている。
【０００３】
その一例として、特開2001ー177609号公報に記載の携帯電話機では、センタから楽音のコンテンツをダウンロードし、右スピーカと左スピーカとでステレオ音声再生できるようにしている。即ち、図１６（ａ）に示すように、携帯電話機６０の表示画面６１が設けられている正面部に、この表示画面６１よりも上部にスピーカ部６２が設けられており、このスピーカ部６２内に、図１６（ｂ）に示すように、２つのスピーカ６３，６４が設けられている。これらスピーカ６３，６４は互いに近接し、かつ携帯電話機６０のケースの上辺に平行に配列されている。なお、スピーカ６４は通話にも兼用され、また、スピーカ６４は着信音の出力にも兼用される。
【０００４】
このように、２つのスピーカ６３，６４を設け、その一方を左スピーカ、他方を右スピーカとすることにより、スピーカ部６２からは、ステレオ音声が出力される。
【０００５】
【発明が解決しようとする課題】
ところで、携帯電話機やＰＤＡなどの携帯端末で動画などの映像コンテンツの配信を受けることができるようになると、このコンテンツの種類によっては、アスペクト比１６：９などの横長の画面の映像もある。携帯電話機の表示画面は、通常、縦長の矩形状をなしており、このような表示画面に横長の映像画面を表示させると、非常に縮小された映像画面となり、見にくいものとなる。そこで、このような横長の映像画面を表示する場合には、携帯電話機の表示画面を横向きにして見るように、かかる映像画面を表示するようにすればよい。
【０００６】
しかし、このように表示画面の向きを変えられるようにした携帯電話機においても、先の特開2001ー177609号公報に記載の携帯電話機のように、２つのスピーカを設けることにより、ステレオ音声を聴取することが可能となるが、これに２つのスピーカを上記のように配置したのでは、表示画面を横向きにして使用する場合には、２つのスピーカが縦方向に配列されることになり、ステレオで聴取するができなくなる。勿論、かかる２つのスピーカの組とは配列方向が異なる別の２つのスピーカの組を新たに追加し、表示画面の使用時の向きに応じてこれらスピーカの組を切り替えて使用できるようにすることにより、いずれの場合でも、音声をステレオで聴取することが可能となるが、携帯電話機のようなスペースがほとんどないところにスピーカの個数を増加させることは非常に難しいことであるし、また、携帯電話機で部品点数の増加や大型化を招いてコストを高めることになる。
【０００７】
このことは、ＰＤＡについても、同様である。
【０００８】
本発明の目的は、かかる問題を解消し、スピーカの個数の増加を抑えて、表示画面の向きをいずれにしても、ステレオ音声を良好に聴取することができるようにした携帯端末を提供することにある。
【０００９】
【課題を解決するための手段】
上記目的を達成するために、本発明は、表示画面を有する上ケースと、操作部を有する下ケースと、夫々のケースと連結する連結部とを備えた携帯端末であって、上ケースは、表示画面の上方の片側に片寄って配置された第１のスピーカと、表示画面の下方の片側に片寄って配置された第２のスピーカと、第２のスピーカの側方に形成された空間とを内部に備えて、第１のスピーカと第２のスピーカとは、表示画面を挟んで対角の位置関係で配置されており、下ケースに対して上ケースが縦方向となる第１の使用状態と、下ケースに対して上ケースが左側となる第２の使用状態と、下ケースに対して上ケースが右側となる第３の使用状態とを設定可能とし、第１，第２，第３の使用状態のいずれにおいても、表示画面で縦方向を上下方向とする画像を表示させる手段を備え、第１のスピーカと第２のスピーカとは、ステレオ再生用のスピーカであって、第１〜第３の使用状態のいずれにおいても、第１のスピーカと第２のスピーカのうちの、右側に配置されるスピーカをステレオ再生の右チャンネル用のスピーカとし、左側に配置されるスピーカをステレオ再生の左チャンネル用のスピーカとする手段を備え、連結部は、上ケースと下ケースとを連結するヒンジ部を備え、ヒンジ部は、上ケースと下ケースを折り畳み可能に接続するヒンジ部材を備え、第２のスピーカは、ヒンジ部側に片寄って配置され、空間に表示画面と前記操作部とを接続する配線が配置されている構成とするものである。
【００１０】
また、第１のスピーカと第２のスピーカとのいずれか一方を通話用のスピーカに兼用したものである。
さらに、上ケースが、第１のスピーカの側方に配置された着信音出力用スピーカを備え、着信音出力用スピーカは、上ケースの背面側から着信音を出力するものである。
【００１１】
【発明の実施の形態】
以下、本発明の実施形態について図面を用いて説明する。
図１は本発明による携帯端末の第１の実施形態を示す外観図であって、同図（ａ）は前面図、同図（ｂ）は右側面図、同図（ｃ）は背面図であり、１は携帯電話機、２は上ケース、３は下ケース、４はヒンジ部、５は表示画面、６は操作部、７はテンキー、８は電源／終話キー、９は通話発信キー、１０はインターネットキー、１１はメールキー、１２はカーソルキー、１３は決定キー、１４はソフトキー、１５はマルチソフトキー、１６はカメラ、１７，１８はソフトキーアイコン、１９はメモリカード挿入口、２０，２１はスピーカ、２２はマイクロホン（以下、マイクという）、２３は着信音出力スピーカ、２４は液晶部、２５はアンテナ収納部、２６はイヤホーンのコンセントである。ここでは、この第１の実施形態を折り畳み式の携帯電話機としている。
【００１２】
同図（ａ），（ｂ）において、この第１の実施形態の携帯電話機１は、上ケース２と下ケース３とがヒンジ部４で連結されてなり、折り畳みが可能に構成されている。ここでは、開いた状態を示している。上ケース２には、図面上縦長に配置された、例えば、アスペクト比１６：９の矩形状の表示画面５が設けられており、下ケース３には、操作部６が設けられている。また、ヒンジ部４による上ケース２と下ケース３との連結部に、カメラ１６が設けられている。さらに、下ケース３の右側面部には、メモリカードの挿入部１９とイヤホーンを接続できるようにしたコンセント２６とが設けられている。
【００１３】
操作部６には、テンキー７や電源／終話キー８、通話発信キー９、インターネットキー１０、メールキー１１、カーソルキー１２、決定キー１３、ソフトキー１４，１５、マイク２２が設けられている。これらキーの機能は従来の携帯電話機での操作キーと同様であって、テンキー７は、通話発信の際にダイヤルキーとして、また、メール送信時に文字入力キーとして夫々使用され、電源／終話キー８は電源のオン，オフや通話を切る場合などに使用される。インターネットキー１０はインターネットのウェブサービスを受ける場合に使用され、これが操作されると、表示画面５にウェブアイコン（図示せず）が表示される。メールキー１１は、メールを発信したり、受信したメールを開いたりする場合に使用されるものであって、これが操作されると、表示画面５にメールアイコン（図示せず）が表示される。カーソルキー１２は表示画面５上で図示しないカーソルを移動させるためのものであって、ここでは、カーソルは任意の方向に移動させることができるものとする。決定キー１３は、このカーソルで指示されたメニューなどを決定するためのものである。ソフトキー１４は表示画面２０の下辺部左側に表示されるソフトキーアイコン１７が示す機能、例えば、電話帳の呼出し機能を有するものであり、同様に、マルチソフトキー１５も、表示画面２０の下辺部右側に表示されるソフトキーアイコン１８が示す機能を有するものであるが、操作部６の操作に応じてその機能が切り替えられる。
【００１４】
また、この携帯電話機１の背面部では、図１（ｃ）に示すように、上ケース２側に着信音出力スピーカ２３と液晶部２４とが設けられ、下ケース３側にアンテナ収納部２５が設けられている。着信があると、この着信音出力スピーカ２３から着信音が発せられるものであり、上ケース２と下ケース３とが合わされて携帯電話機１が閉じられた状態にあっても、着信音がはっきりするようにしている。液晶部２４には、この携帯電話機１の電話番号が表示されている。また、この携帯電話機１では、アンテナがアンテナ収納部２５に収納されている。
【００１５】
かかる構成の携帯電話機１において、上ケース２での表示画面５よりも上側の右隅部にスピーカ２０が設けられ、この表示画面５よりも下側の左隅部にもう１つのスピーカ２１が設けられている。即ち、上ケース２の前面部には、２つのスピーカが設けられており、その一方が表示画面５の右上角部に近い領域に、他方が表示画面５の左下角部に近い領域に、表示画面５のほぼ対角線上この表示画面５を挟んで配置されている。勿論、これとは逆に、一方のスピーカ２０を表示画面５の左上角部に近い領域に配置し、他方のスピーカ２１を表示画面５の右下角部に近い領域に配置するようにしてもよいが、以下の説明では、図示するように配置されているものとする。
【００１６】
このように、２つのスピーカ２０，２１が表示画面５の中心を通る垂直線に関して左右に離れて配置されているので、図示するように、表示画面５を縦長の画面として使用する場合には、スピーカ２０でステレオ音声の右チャンネルが再生されるようにし、スピーカ２１でこのステレオ音声の左チャンネルが再生されるようにすることにより、この再生される音声をステレオで聴取することが可能となる。
【００１７】
なお、ここでは、着信音出力スピーカ２３を別途設けているが、通話用スピーカとしては、スピーカ２０，２１のいずれかを兼用することができる。
【００１８】
図２は図１における上ケース２の内部構成の要部を示す図であって、４ａはヒンジ部材、５ａは配線であり、図１に対応する部分には同一符号を付けている。
【００１９】
同図において、上ケース２の内部には、液晶表示パネルなどからなる表示画面５と、この表示画面５の上下側に対角位置関係で設けられたスピーカ２０，２１と、このスピーカ２０の側方に設けられた着信音出力スピーカ２３とが配置されている。また、表示画面５の下側に設けられたスピーカ２１の側方には、空間が形成されているが、この空間に上ケース２と下ケース３とを接続するヒンジ部材４ａと、表示画面５と操作部６とを接続する配線５ａとが設けられている。
【００２０】
このように、２つのスピーカ２０，２１を対角位置関係で配置することにより、立体的な音響再生、即ち、ステレオ音声を再生することができる。また、スピーカ２１の側方にヒンジ部材４ａや配線５ａを配置することにより、スピーカ２１の側方に生ずる空間、即ち、デッドスペースを有効に利用することができる。
【００２１】
なお、この実施形態では、ヒンジ部４（図１）がヒンジ部材４ａと図示しないヒンジカバーとから構成されている。
【００２２】
図３は図１に示した携帯電話機のハードウェア構成を示すブロック図であって、２７は無線器、２８は変復調器、２９は送受信信号処理器、３０は音声ＣＯＤＥＣ（符号化／復号器）、３１は傾きセンサ、３２は無音着信報知器、３３は表示器、３４は入力器、３５は記憶部、３６はバッテリ、３７は時計、３８はアンテナ、３９は制御器であり、図１に対応する部分には同一符号を着けている。なお、ここでは、図１（ｃ）での着信音出力スピーカ２３を省略しているが、音声ＣＯＤＥＣ３０に接続されている。
【００２３】
同図において、携帯電話機１は、バッテリ３６から各部に電力が供給され、制御器３９の制御のもとに入力器３４からの入力情報に基づいて所定の動作を行なう。なお、入力器３４は図１での操作部６の各キーに相当するものであり、表示器３３は図１での表示画面５を有するものである。
【００２４】
入力器３４の操作によって通話が行なわれるときには、マイク２２から入力された音声信号が音声ＣＯＤＥＣ（符号化／復号器）２９によって符号化され、さらに、送受信信号処理器２９で処理された後、変復調器２８で変調されて無線器２７に供給され、アンテナ３８から無線送信される。また、アンテナ３８からの受信通話信号は、無線器２７を介して変復調器２８に供給され、変復調器２８で復調されて送受信信号処理器２９で処理された後、音声ＣＯＤＥＣ３０で音声信号に復号されて通話兼用のスピーカ２１から音声出力される。通話元からの着信があると、制御器３９は、無音着信報知器３２を動作させ、例えば、バイブレータ（図示せず）を稼働させてユーザに着信があったことを知らせる。勿論、着信音出力スピーカ２３(図１(ｃ））から着信音を出力させるようにすることもできる。
【００２５】
入力器３４のインターネットキー１０（図１）を操作してインターネットを介したウェブサービスを要求した場合も、その要求が無線器２７からアンテナ３８を介して送信される。所定のサーバとの接続が確立すると、このサーバから所定の情報が受信され、変復調器２８で復調されて送受信信号処理器２９で処理された後、記憶部３５に記憶されるとともに、表示器３３の表示画面５（図１）で表示される。かかる動作の間、制御器３９は表示器３３の表示画面５にウェブアイコンを表示させる。アンテナ３８から無線器２７を介してメールを受信するときも、このメールは変復調器２８で復調されて送受信信号処理器２９で処理された後、記憶部３５に記憶され、これとともに、制御器３９は表示器３３の表示画面５にメールアイコンを表示させる。この場合には、入力器３４のメールキー１１（図１）を操作することにより、記憶部３５から受信メールを読み出して表示器３３の表示画面５に表示させることができる。入力器３４を操作してメールを入力すると、このメールは、送受信信号処理器２９で処理されて変復調器２８で変調された後、無線器２７からアンテナ３８を介して無線送信される。
【００２６】
制御器３９は、時計３７から現在の日時情報を取り込み、表示器３３の表示画面５に現在の日時を表示させる。また、制御器３９は、バッテリ３６の充電残量を常時監視しており、表示画面５でのバッテリアイコンをこの充電残量に応じた表示状態とする。さらに、携帯電話機１と図示しない基地局との間では、この基地局でこの携帯電話機が圏内に在るかどうかを監視するために、一定時間毎に双方向通信を行なうが、制御器３９はこのときの受信信号の電界強度を検出し、表示画面５での受信強度アイコンの表示をこの検出結果に応じたものとする。なお、これら受信強度アイコンやバッテリアイコンは、上記のように、常に表示されるようにしてもよいが、例えば、受信電界強度が非常に弱いとき、あるいはバッテリ３６の充電残量が残り少ないときにのみ表示するようにしてもよい。
【００２７】
かかる構成において、この第１の実施形態では、さらに、傾きセンサ３１が設けられている。この傾きセンサ３１は携帯電話機１の全体的な傾きを検出するものであり、制御器３９は、この傾きセンサ３１の検出結果から、図４（ａ）に示すように、携帯電話機１が縦向きの状態（即ち、矩形状の表示画面５を縦長とした状態）にあるのか、また、図４（ｂ）に示すように、携帯電話機１が横向きの状態（即ち、表示画面５を横長とした状態）にあるかを判定する。なお、携帯電話機１が横向きの状態といっても、この図４（ｂ）に示す状態は、右利きのユーザが右手で持った場合であり、左利きのユーザが左手で携帯電話機１を持った場合には、図示しないが、図４（ｂ）に示す状態とは逆に、表示画面５が右側に、操作部６が左側となる。この状態を、携帯電話機１が右向きの状態といい、図４（ｂ）に示す状態を携帯電話機１が左向きの状態ということにする。
【００２８】
制御器３９は、傾きセンサ３１の検出出力から携帯電話機１の向きの状態（即ち、縦向きの状態にあるのか、横向きの状態にあるのか、さらには、横向きの状態の場合、図４（ｂ）に示す左向きの状態にあるのか、右向きの状態にあるのか）を判定すると、この判定結果に基づく制御を表示器３３に対して行ない、その判定した向きで表示画面５での映像が正常に見えるようにし、また、上記判定結果に基づく制御を音声ＣＯＤＥＣ３０に対しても行ない、その判定した向きでスピーカ２０，２１からステレオ音声が正常に出力されるようにする。また、制御器３９は、上記の判定結果に基づいて入力器３４も制御する。以上のことを図５により説明する。
【００２９】
図５（ａ）は携帯電話機１が縦向きの状態で使用されている場合を示すものであって、この場合には、縦長の表示画面５にその縦長方向を上下方向とする映像が表示される。また、この表示画面５の下辺部には、ソフトキー１４，マルチソフトキー１５の機能を示すアイコン１７，１８が表示される。また、ステレオ音声を再生する場合には、このステレオ音声の右チャンネルが右側のスピーカ２０から出力され、左チャンネルが左側のスピーカ２１から出力される。これにより、ユーザはステレオ音声を正常に聴取することができる。
【００３０】
なお、携帯電話機１を縦向きで使用して取得したコンテンツを再生する場合には、インターネットキー１０とメールキー１１とは機能しないようにする。このような場合において、インターネットやメールを行なう場合には、ここでは、操作部６を構成する他の機能ボタン、例えば、カーソルキー１２を操作することにより、表示画面５にインターネットアイコン（図示せず）あるいはメールアイコン（図示せず）を表示し、表示されたインターネットアイコンあるいはメールアイコンを選択することにより、インターネットあるいはメールを行なえるようにしている。
【００３１】
図５（ｂ）は携帯電話機１が左向きの状態で使用されている場合を示すものであって、この場合には、横長の表示画面５にその縦方向を上下方向とする映像が表示される。また、この表示画面５の下辺部には、ソフトキーアイコン１７，１８が表示される。このとき、ソフトキー１４がそのままこのソフトキーアイコン１７で表わされる機能を有するソフトキーとして機能するが、メールキー１１がソフトキーアイコン１８で表わされる機能を有するマルチソフトキーとして機能する。このようにして、携帯電話機１が左向きの状態で使用されても、ソフトキーアイコン１７，１８は横長の表示画面５の下辺部に表示されるようにし、これに伴ってソフトキーアイコン１７，１８の配列と対応した配列のキー１４，１１をソフトキーにし、ソフトキーの操作をし易くしている。
【００３２】
また、携帯電話機１を左向きの状態で使用してステレオ音声を再生する場合、このステレオ音声の右チャンネルが右側のスピーカ２１から出力され、左チャンネルが左側のスピーカ２０から出力されるようにし、図５（ａ）の場合とは逆にする。これにより、ユーザはステレオ音声を正常に聴取することができる。
【００３３】
なお、携帯電話機１を縦向きで使用して取得したコンテンツを再生する場合には、インターネットキー１０とメールキー１１とは機能しないようにする。このような場合において、インターネットやメールを行なう場合には、ここでは、操作部６を構成する他の機能ボタン、例えば、カーソルキー１２を操作することにより、表示画面５にインターネットアイコン（図示せず）あるいはメールアイコン（図示せず）を表示し、表示されたインターネットアイコンあるいはメールアイコンを選択することにより、インターネットあるいはメールを行なえるようにしている。
【００３４】
図５（ｃ）は携帯電話機１が右向きの状態で使用されている場合を示すものであって、図５（ｂ）の場合に対し、左右上下が反転した状態となる。この場合でも、横長の表示画面５にその縦方向を上下方向とする映像が表示される。また、この表示画面５の下辺部には、ソフトキーアイコン１７，１８が表示される。このとき、マルチソフトキー１５がそのままソフトキーアイコン１８で表わされる機能を有するマルチソフトキーとして機能するが、インターネットキー１０がソフトキーアイコン１７で表わされる機能を有するソフトキーとして機能する。このようにして、携帯電話機１が右向きの状態で使用されても、ソフトキーアイコン１７，１８は横長の表示画面５の下辺部に表示されるようにし、これに伴ってソフトキーアイコン１７，１８の配列と対応した配列のキー１０，１５をソフトキーにし、ソフトキーの操作をし易くしている。
【００３５】
また、携帯電話機１を右向きの状態で使用してステレオ音声を再生する場合、このステレオ音声の右チャンネルが右側のスピーカ２０から出力され、左チャンネルが左側のスピーカ２１から出力されるようにする。これにより、ユーザはステレオ音声を正常に聴取することができる。
【００３６】
なお、携帯電話機１を縦向きで使用して取得したコンテンツを再生する場合には、インターネットキー１０とメールキー１１とは機能しないようにする。このような場合において、インターネットやメールを行なう場合には、ここでは、操作部６を構成する他の機能ボタン、例えば、カーソルキー１２を操作することにより、表示画面５にインターネットアイコン（図示せず）あるいはメールアイコン（図示せず）を表示し、表示されたインターネットアイコンあるいはメールアイコンを選択することにより、インターネットあるいはメールを行なえるようにしている。
【００３７】
また、図５(ａ）〜(ｃ）に示すいずれの使用状態においても、カーソルキー１２の操作方向と表示画面５でのカーソル（図示せず）の移動方向とは一致する。
【００３８】
図６はこの第１の実施形態の折り畳んだ状態での液晶部２４の表示例を示す図であり、図１に対応する部分には同一符号を付けている。
【００３９】
上ケース２の背面での液晶部２４では、通常、例えば、図６（ａ）に示すような形態で電話番号が表示されている。従って、図６（ａ）に示す状態を、例えば、机などの上に左側面側を下にして携帯電話機１を立てて置いた状態とすると、液晶部２４で電話番号が正常に表示されており、見易いものとなる。
【００４０】
しかし、かかる表示状態のまま右側面側を下にして携帯電話機１を立てて置くと、液晶部２４で電話番号がさかさまに表示されることになり、見にくいものとなる。
【００４１】
そこで、この第１の実施形態では、制御器３９（図３）が、傾きセンサ３１（図３）の検出結果から、携帯電話機１がこのように右側面側を下にして立てて置かれたものと判定すると、液晶部２４での電話番号の表示形態を切り替え、図６（ｂ）に示すように、正常に見えるようにする。
【００４２】
このようにして、携帯電話機１の置き方に応じて液晶部２４で電話番号を見易いように表示する。
【００４３】
次に、この第１の実施形態での操作手順について説明する。
図７はその一具体例を示すフローチャートであり、また、図８はこの手順を実行する際の表示画面５に表示される内容を示す図である。
【００４４】
まず、図５（ａ）に示す表示画面５での画面表示から図５（ｂ），（ｃ）に示す表示画面で出の画面表示に切り替える場合の操作手順について、図１も参照して説明する。
【００４５】
図７において、携帯電話機１で電源が投入されている状態で決定キー１３を操作すると（ステップ１００）、表示画面５に図８（ａ）に示すようなメインメニュー画面４０が表示される（ステップ１０１）。このメインメニュー画面４０では、「画面設定」，「ステレオ設定」，「ビデオ視聴」，「音声聴取」，「テレビ会議」などのメニューを選択できる。表示画面５を縦向きの表示（これを、以下、縦表示という）から、図５（ｂ），（ｃ）に示すような横向きにした表示（これを、以下、横表示という）に切り替える場合、または、その逆の切り替えをする場合には、メニュー「画面設定」を選択する。
【００４６】
そこで、メインメニュー画面４０からメニュー「画面設定」を選択すると（ステップ１０２：以下、このような選択は、カーソルキー１２を操作してのカーソルによる指定と、決定キー１３による決定によって行なわれる）、表示画面５では、図８（ｂ）で示すようなメニュー「画面設定」のサブメニュー画面４１が表示される。このサブメニュー画面４１では、「縦表示」，「横表示」，「自動」の３つのサブメニューを選択することができ、サブメニュー「縦表示」を選択すると、表示画面５での表示形態が縦表示に固定され、サブメニュー「横表示」を選択すると、表示画面５での表示形態が横表示に固定される。また、サブメニュー「自動」を選択すると、制御器３９（図３）が傾きセンサ３１（図３）の検出結果に応じて上記の制御動作することにより、携帯電話機１の向きに応じて、図５（ａ），（ｂ），（ｃ）のいずれかで表示されることになる。
【００４７】
そこで、いま、図８（ｂ）に示すサブメニュー画面４１からサブメニュー「横表示」を選択すると（ステップ１０３）、表示画面５は、まず、決められた向きの横表示となり、これに、図８（ｃ）に示すように、図８（ａ）に示したメインメニュー画面４０と同じ内容のメインメニュー画面４０’が表示される（ステップ１０４）。この場合、ユーザは携帯電話機１をその利き手に応じた向きの横向きにするが、左向きになるか、右向きになるかに応じて、図３での傾きセンサ３１の検出結果でもって制御器３９が図５（ｂ）に示す表示形態にするか、図５（ｃ）に示す表示形態にする。
【００４８】
次に、このメインメニュー画面４０でメニュー「ステレオ設定」を選択すると（ステップ１０５）、ステレオ再生用のスピーカ２０，２１によるステレオ再生が可能となり、次いで、このメインメニュー画面４０’でメニュー「ビデオ視聴」を選択すると（ステップ１０６）、動画などの映像コンテンツが表示画面５に図５（ｂ），（ｃ）に示すように表示され、この際の音声がステレオ音声である場合には、スピーカ２０，２１によってこれがステレオ再生される（ステップ１０７）。また、このメインメニュー画面４０’でメニュー「音声視聴」を選択すると、図５（ｂ），（ｃ）で説明したようにして、スピーカ２０，２１によって音声コンテンツのステレオ再生が行なわれる。
【００４９】
このように、映像や音声のコンテンツの再生時には、ソフトキーアイコン１８は「停止」を表示しており、これにより、図５（ｂ）に示す状態では、キー１１が、図５（ｃ）に示す状態では、キー１５が夫々停止キーとしての機能を有しており、かかる停止キーを操作すると（ステップ１０８）、コンテンツの再生が停止して図８（ｃ）に示すメインメニュー画面４０’が表示画面５に表示される（ステップ１０９）。
【００５０】
以上は表示画面５の表示形態を縦表示から横表示に切り替える場合であったが、横表示から縦表示に切り替える場合には、図８（ｃ）に示すメインメニュー画面４０’と図８（ｄ）に示すサブメニュー画面４１’とから、上記と同様にして、縦表示に切り替えることができ、切り替えられた縦表示で映像や音声のコンテンツの再生を行なわせることができる。
【００５１】
また、図８（ｂ），（ｄ）で示すサブメニュー画面４１，４１’でサブメニュー「自動」を選択すると、携帯電話機１を縦向きで使用するときには、メインメニュー画面も自動的に図８（ａ）に示すように表示され、携帯電話機１を横向きで使用するときには、メインメニュー画面も自動的に図８（ｃ）に示すように表示されることはいうまでもない。
【００５２】
図８（ａ）に示すメインメニュー画面４０もしくは図８（ｃ）に示すメインメニュー画面４０’でメニュー「テレビ会議」を選択すると、相手方とのテレビ会議が可能なモードとなる。このとき、図１に示すカメラ１６が使用される。以下、かかるテレビ会議モードの操作手順の一具体例について、図９及び図１０により、また、図１を参照して、説明する。なお、図９はかかる手順を示すフローチャートであり、図１０はこの手順の実行中の表示画面５での表示内容の具体例を示す図である。
【００５３】
図９において、ここでは、表示画面５の表示形態を横表示としてテレビ会議を行なうものとしており、ステップ１００〜１０４の手順は図７と同様である。また、このステップ１０４により、表示画面５では、図８（ｃ）に示すメインメニュー４０’が表示されている。
【００５４】
いま、かかるメインメニュー画面４０’でメニュー「テレビ会議」を選択すると（ステップ２００）、まず、表示画面５に、図１０（ａ）に示すように、カメラ１６によるこの携帯電話機１のユーザ自身の撮像画面が表示される。そして、操作部６のテンキー７などを用いてテレビ会議したい相手先の電話番号を入力すると（ステップ２０１：この入力する電話番号は表示画面５で重ねて表示され、これによってそれを確認することができる）、相手先と接続状態となるとともに（ステップ２０２）、図１０（ｂ）に示すように、表示画面５が横方向に２つの表示エリア５ａ，５ｂに分割され、これらの一方に携帯電話機１のユーザ自身の撮像画面が、他方に相手先の撮像画面が夫々表示される。さらに、他の相手先もこのテレビ会議に参加させる場合には、この相手先の電話番号を入力する（ステップ２０１）。そして、この２人目の相手先と接続されると（ステップ２０２）、図１０（ｃ）に示すように、表示画面５が横方向に３つの表示エリア５ａ，５ｂ，５ｃに分割され、そのうちの１つ、例えば、真中の表示エリア５ｂにこの携帯電話機１のユーザ自身の撮像画面が表示され、左右の表示エリア５ａ，５ｃに夫々相手先の撮像画面が表示される。
【００５５】
なお、図１０（ａ）〜（ｃ）に示す表示画面５では、相手先の撮像画面だけを表示するようにしてもよい（この場合、図１０（ａ）に示す表示画面５では、最初の相手先の撮像画面が表示され、図１０（ｂ），（ｃ）に示す表示画面５では、２人あるいは３人の相手先の撮像画面が表示されることになる）。このような表示の場合には、図１０（ｄ）に示すように、表示画面５の一部にこの携帯電話機１のユーザ自身の撮像画面５ｄを表示させるようにしてもよい。
【００５６】
このようにして、相手先とのテレビ会議を行なうことができるが（ステップ２０３）、このときでも、新たに電話番号を入力することにより、参加者を追加することができる。また、このテレビ会議のときには、ソフトキーアイコン１８により、キー１１（図５（ｂ））またはキー１５（図５（ｃ））は停止キーとして機能しており、この停止キーを操作することにより（ステップ２０４）、テレビ会議のモードが解除されて図８（ｃ）に示すメインメニュー画面４０’が表示される状態に戻る（ステップ２０５）。
【００５７】
勿論、かかるテレビ会議は、図５（ａ）に示す縦表示の場合でも、図８（ａ）に示すメインメニュー画面４０でメニュー「テレビ会議」を選択することにより、同様にして行なうことができる。但し、この場合には、各撮像画面のエリアが縦方向に分割される。
【００５８】
図１１は本発明による携帯端末の第２の実施形態を示す構成図であって、同図(ａ）は正面図、同図(ｂ）は同図（ａ）の分断線Ａ−Ａに沿う断面図である。この第２の実施形態は、折り畳み式でない携帯電話機であって、４２は携帯電話機、４３はケース、４４は前面、４５は背面、４６は左側面、４７は右側面であり、図１に対応する部分には同一符号を着けて重複する説明を省略する。
【００５９】
図１１（ａ）において、この第２の実施形態の携帯電話機４２は、全体として１つのケース４３で構成されるものであって、図１に示した第１の実施形態のように折り畳みができるものではない。この携帯電話機４２の前面の構成は、図１に示した第１の実施形態と同様であり、その上側に、図１に示した携帯電話機１の上ケース２の前面と同じ構成のもの（即ち、表示画面５やステレオ再生用のスピーカ２０，２１など）が設けられ、その下側に、図１に示した携帯電話機１の下ケース３の前面での操作部６と同様の操作部６が設けられている。但し、図１でのようなカメラ１６は設けられていない。
【００６０】
そして、この第２の実施形態の携帯電話機４２のハードウェア構成も、図３に示す第１の実施形態の場合と同様であり、従って、操作部６の各キーの機能も第１の実施形態と同様であるし、図５でもって説明した動作や機能もこの第２の実施形態に対し同様である。但し、この第２の実施形態では、折り畳まれず、常時開いた状態にあるので、ステレオ用のスピーカ２０，２１のいずれか一方を通話用のスピーカに兼用するとともに、この兼用スピーカまたは他方のスピーカを着信音出力用のスピーカに兼用する。
【００６１】
このケース４３の分断線Ａ−Ａに沿う横断面形状は、図１１（ｂ）に示すように、背面４５に対して表示画面５や操作部６などが設けられている前面４４が幅広で、左側面４６，右側面４７が前面４４，背面４５に対して傾斜した台形状をなしている。このように、前面４４，背面４５に対して左側面４６や右側面４７を傾斜させることにより、図１２に示すように、左側面４６や右側面４７のいずれかを下側にして携帯電話機４２を横向きに台４８などの上に置いた場合、この携帯電話機４２の前面４４が、台４８の面の垂線４９に対し、上記の側面４３，４４の傾斜角θだけ上向きに傾くことになる。従って、このように携帯電話機４２を置いた状態では、表示画面５に表示される映像コンテンツも非常に見易いものとなる。
【００６２】
また、この携帯電話機４２は、ケース４３の上側面５０を下にして、立てて置くことができるものであるが、この上側面５０をくぼみ状とするとともに、全体として、前面４４に対して傾斜させており、これにより、このように携帯電話機４２を立てて置いたとき、この前面４４がある程度上を向くようにしている。そして、このケース４３の操作部６側では、図示するように、その厚みが順次薄くなるようにしており、これにより、上記のように、携帯電話機４２を上記のように立てて置いた場合も、バランス良く立っていることになる。
【００６３】
この第２の実施形態は、カメラを備えていないので、テレビ会議はできないが、それ以外の点については、先の第１の実施形態と同様であり、その説明は、重複するので、省略する。
【００６４】
図１３は本発明による携帯端末の第３の実施形態を示す構成図であって、５１はＰＤＡ（Personal Digital Assistant）、５２はケース、５３は表示画面、５４，５５はスピーカである。この第３の実施形態は、携帯端末をＰＤＡとするものである。
【００６５】
同図において、ＰＤＡ５１は、函型のケース５２の前面に矩形状の表示画面５３が設けられた構成をなしている。この表示画面５３は、例えば、アスペクト比が１６：９の画面であり、通常縦長に使用される。この表示画面５３には、メニュー画面や各種情報入力画面，動画や静止画などの情報画面などが表示され、図示しないペンなどで画面操作をすることにより、メニューの選択や情報の入力をすることができる。また、このＰＤＡ５１は送受信手段を備えており、ネットワークを介して動画や静止画の映像コンテンツ、音声のコンテンツの配信を受けることができる。
【００６６】
ケース５２には、表示画面５３よりも上側でその右角部側にスピーカ５４が、また、この表示画面５３よりも下側でその左角部側にスピーカ５５が夫々設けられており、これらスピーカ５４，５５をステレオ音声再生のスピーカとして機能させることができる。
【００６７】
このＰＤＡ５１も、先の携帯電話機の実施形態と同様、傾きセンサや制御器などを備えて表示画面５３の向きを検出し、その検出結果に応じた動作をするし、また、図８などで説明したようなメニューの選択操作が可能であり（但し、メニュー「テレビ会議」は除く）、従って、表示画面５３を手に持って、図１４（ａ）に示すように、表示画面５３を縦向きにして使用することもできるし、図１４（ｂ）に示すように、表示画面５３を横向きにして使用することもできる。
【００６８】
そして、ステレオ音声を再生する場合、表示画面５３が図１４（ａ）に示す縦向きとなるようにして使用するときには、右側に配置されるスピーカ５４から右チャンネルの音声が、左側に配置されるスピーカ５５から左チャンネルの音声が夫々出力されることになり、ステレオ音声を正常に聞くことができる。また、表示画面５３が図１４（ｂ）に示す横向きとなるようにして使用するときには、右側に配置されるスピーカ５５から右チャンネルの音声が、左側に配置されるスピーカ５４から左チャンネルの音声が夫々出力されることになり、この場合も、ステレオ音声を正常に聞くことができる。
【００６９】
なお、図１４（ｂ）に示す使用形態とは１８０゜回転した状態の使用形態、即ち、スピーカ５４が右下側に、スピーカ５５が左上側に夫々配置されるようにした使用形態の場合も、上記と同様であるし、さらには、図１４（ａ）に示す使用形態とは１８０゜回転した状態の使用形態、即ち、スピーカ５４が左下側に、スピーカ５５が右上側に夫々配置されるようにした使用形態も可能とし、この場合も、上記と同様である。
【００７０】
この第３の実施形態は、以上のような使用形態が可能であるから、図１５（ａ），（ｂ）で示すような向きで載置台５６に載置してコンテンツの再生を行なわせることができる。
【００７１】
【発明の効果】
以上説明したように、本発明によれば、矩形状の表示画面を縦長の状態にしても、横長の状態にしても使用できて、使い易くなるし、また、この表示画面の対向する２つの角部の近傍領域毎に設けたスピーカからなるステレオ再生用のスピーカにより、表示画面を縦長の状態で使用するときも、横長の状態で使用するときも、正常にステレオ音声を聴取することができる。
【００７２】
そして、表示画面を縦長の状態で使用するときも、横長の状態で使用するときも、同じステレオ再生用のスピーカでステレオ音声の再生ができるから、スピーカの個数を最小限度に抑えてステレオ音声の聴取が可能となる。
【００７３】
また、本発明が携帯電話機である場合、かかるステレオ音声再生用のスピーカの一方を、少なくとも通話用のスピーカに兼用するものであるから、あるいは、さらに着呼音出力用のスピーカにも兼用でき、スピーカの個数を３個あるいは２個と最小に抑えて、電話機の機能とともにステレオ音声の再生が可能となる。
【図面の簡単な説明】
【図１】本発明による携帯端末の第１の実施形態を示す外観図である。
【図２】図１における上ケースの内部構成の要部を示す図である。
【図３】図１に示した携帯電話機のハードウェア構成を示すブロック図である。
【図４】図１に示す第１の実施形態の使用時の向きの例を示す図である。
【図５】図１に示す第１の実施形態の使用時の向きに対する表示画面の表示形態やステレオ再生用スピーカの出力形態を説明するための図である。
【図６】図１に示す第１の実施形態の背面の液晶部での表示形態を示す図である。
【図７】図１に示す第１の実施形態での操作手順の一具体例を示すフローチャートである。
【図８】図７に示した操作手順を実行する際の表示画面に表示される内容を示す図である。
【図９】図８に示すメインメニューで選択したテレビ会議の操作手順の一具体例を示すフローチャートである。
【図１０】図９に示した操作手順を実行する際の表示画面に表示される内容を示す図である。
【図１１】本発明による携帯端末の第２の実施形態を示す構成図である。
【図１２】図１１に示す実施形態の台への載置状態を示す図である。
【図１３】本発明による携帯端末の第３の実施形態を示す構成図である。
【図１４】図１３に示す第３の実施形態の使用形態の一具体例を示す図である。
【図１５】図１３に示す第３の実施形態の使用形態の他の具体例を示す図である。
【図１６】従来の携帯端末の一例の要部を示す図である。
【符号の説明】
１  携帯電話機（携帯端末）
２  上ケース
３  下ケース
４  ヒンジ部
５  表示画面
６  操作部
７  テンキー
１２  カーソルキー
１３  決定キー
１４  ソフトキー
１５  マルチソフトキー
１６  カメラ
１７，１８  ソフトキーアイコン
２０，２１  ステレオ再生用のスピーカ
２２  マイク
２３  着信音出力用のスピーカ
３１  傾きセンサ
３３  表示器
３４  入力器
３９  制御器
４０，４０’  メインメニュー画面
４１，４１’  サブメニュー画面
４２  携帯電話機（携帯端末）
４３  ケース
４４  前面
４５  背面
４６  左側面
４７  右側面
４８  台
４９  垂線
５０  上側面
５１  ＰＤＡ（携帯情報端末：携帯端末）
５２  ケース
５３  表示画面
５４，５５  ステレオ再生用のスピーカ
５６  載置台
【図１】
0004516248.tif 000002
【図２】
0004516248.tif 000003
【図３】
0004516248.tif 000004
【図４】
0004516248.tif 000005
【図５】
0004516248.tif 000006
【図６】
0004516248.tif 000007
【図７】
0004516248.tif 000008
【図８】
0004516248.tif 000009
【図９】
0004516248.tif 000010
【図１０】
0004516248.tif 000011
【図１１】
0004516248.tif 000012
【図１２】
0004516248.tif 000013
【図１３】
0004516248.tif 000014
【図１４】
0004516248.tif 000015
【図１５】
0004516248.tif 000016
【図１６】
0004516248.tif 000017